(57)【要約】      （修正有）【課題】回動扉の急激な閉鎖運動を緩和するためのダンパを備えた回動扉の開閉装置であって、極めて簡単な構造で製作でき、且つ長期にわたって確実に動作する機構を提供する。【解決手段】枠体Ｂまたは扉Ａの一方に取り付けられたフレーム５と、他方に取り付けられたピン４とからなり、フレーム５には前記ピン４と係脱自在に係合する長溝７を備えた回動アーム８が設けられ、該アーム８はフレームに収納された閉じ位置から所定の角度だけフレームからつきでた開き位置まで回動出来るように形成され、かつ、アーム側の支持点10とフレーム側の支持点11との間で張設されたスプリング12によって、デッドラインを境として閉じ位置と開き位置とに反転付勢されるように形成され、前記アームがデッドラインを超えて閉じ位置に向かって回動するときに、急激な回動を緩和するためのダンパ14が設けられている。【選択図】図１
2010001680.tif 000002
【特許請求の範囲】
【請求項１】
枠体の開口部を開閉する回動扉の開閉装置であって、枠体または扉の一方に取り付けられた開閉装置のフレームと、他方に取り付けられたピンとからなり、フレームには前記ピンと係脱自在に係合する長溝を備えた回動アームが設けられ、該アームはフレームに収納された閉じ位置から所定の角度だけフレームからつきでた開き位置まで回動出来るように形成され、かつ、アーム側の支持点とフレーム側の支持点との間で張設されたスプリングによって、デッドラインを境として閉じ位置と開き位置とに反転付勢されるように形成されており、前記アームがデッドラインを超えて閉じ位置に向かって回動するときに、前記スプリングによる急激な回動を緩和するためのダンパが設けられており、前記扉の閉じ過程においてピンが開き位置で待機しているアームの長溝に係入するように形成されている回動扉の開閉装置。
【請求項２】
扉体に前記ピンを設け、枠体に前記開閉装置のフレームを設けた請求項１に記載の回動扉の開閉装置。
【請求項３】
前記ピンがピン支持プレートに保持され、ピン上端部の前記アームに面した部分若しくはアームの前記ピンに面した下縁部分に傾斜面が設けられ、ピン若しくはピン支持プレートが弾力的に上下できるように形成されている請求項１または２に記載の回動扉の開閉装置。
【発明の詳細な説明】
【技術分野】
【０００１】
本発明は、ヒンジを支点として開閉する回動扉（スイングドアー）の開閉装置に関するもので、殊に、急激な閉鎖運動を緩和するダンパを備えた回動扉の開閉装置に関するものである。
【背景技術】
【０００２】
従来、家具や建具における回動扉の急激な閉鎖運動を緩和するために、ダンパー等の緩衝装置を備えたものとして、例えば特許文献１に示すものがある。
この特許文献１では、殊に公報の図１並びに図４に示すように、ダンパ(12)に直結されたアーム(8)の爪(20)、(21)に、急激に閉じてきた扉(1)のピン(3)が係入するとダンパ(12)により衝撃が緩和されるように形成されている。
しかしこの装置では、扉のピン(3)がアーム(8)の爪に係入したあと扉を更に閉じ方向に付勢する動作については明確にされていないので、扉を閉じ姿勢に付勢するスプリングを具備した従来の蝶番（例えばスライドヒンジ等）と併用するか、手で閉じ位置まで扉を押しつける等の動作を行わなければならない。
【０００３】
そこで、急激な閉鎖運動を緩和するダンパ等の緩衝装置を備えた開閉装置において、扉を閉じ方向に付勢するスプリングを設けたものとして、例えば特許文献２並びに特許文献３に示すものが提案されている。
特許文献２では、扉が閉じてきてアーム(17)のローラ(18)がガイド長溝(19)に係入するとシリンダ(6)内のスプリング(7)が作動して扉を緩やかに閉じ方向に付勢する構造となっている。
また、特許文献３では、扉のピン(7d1)がアーム(12)の長長溝(15a)に係入すると、スライダ(13)の、凸条部(12c)に対する当接位置が変動してスプリング(14)の力が扉閉じ方向に作用し、ダンパ(9)の作動と相俟って扉を緩やかに閉じる構造となっている。
しかし、特許文献２の開閉装置では、ピストンの内壁にラックを設けてこのラックに噛み合うピニオンを組み合わせる等の機構が非常に複雑でコストが高くつき実用的でなく、また特許文献３の開閉装置では、コイルスプリング(7)にスライダ(13)を直線方向に摺動自在に組みつけてアームの凸条部(12c)に正確に当接させる機構が複雑であって部品点数が多くなり、装置全体が大型化してコスト高になるといった問題点があった。
【特許文献１】特開２００４−２７０３５２号公報
【特許文献２】実開昭５６−６５０７４号公報
【特許文献３】特開２００６−２８３４６０号公報
【発明の開示】
【発明が解決しようとする課題】
【０００４】
そこで本発明は、極めて簡潔な構造で上記問題点を解決すると共に、長期にわたって確実に動作する回動扉の開閉装置を提供することを主たる目的とするものである。
【課題を解決するための手段】
【０００５】
上記目的を達成する為に本発明では次のような技術的手段を講じた。即ち、本発明に係る回動扉の開閉装置にあっては、枠体の開口部を開閉する回動扉の開閉装置であって、枠体または扉の一方に取り付けられた開閉装置のフレームと、他方に取り付けられたピンとからなり、フレームには前記ピンと係脱自在に係合する長溝を備えた回動アームが設けられ、該アームはフレームに収納された閉じ位置から所定の角度だけフレームからつきでた開き位置まで回動出来るように形成され、かつ、アーム側の支持点とフレーム側の支持点との間で張設されたスプリングによって、デッドラインを境として閉じ位置と開き位置とに反転付勢されるように形成されており、前記アームがデッドラインを超えて閉じ位置に向かって回動するときに、前記スプリングによる急激な回動を緩和するためのダンパが設けられており、前記扉の閉じ過程においてピンが開き位置で待機しているアームの長溝に係入するように形成されている構成とした。
【０００６】
ここで上記にいうダンパとは、ピストンロッド先端にピストンロッドをシリンダー内に押し込もうとする外圧を受けたときに、シリンダー内のピストンがシリンダー内の流体圧力の抵抗力（一般にこの抵抗力を「減衰力」と呼ばれている）により、抵抗力を減衰させながら徐々にピストンロッド押し込み方向に移動され、外圧がなくなるとシリンダー内の弱いばねによってピストンロッドが突出姿勢に復帰する方式の緩衝装置をいう。
【発明の効果】
【０００７】
本発明は上記の如く構成されているので、扉の閉じ過程において、ピンが開き位置で待機しているアームの長溝に係入してスプリングの反転付勢によりアームを閉じ位置に向かって回動して扉を確実に閉鎖することができると共に、ダンパによってスプリングによる扉の急激な閉鎖運動を緩和して扉を滑らかに閉じることができ、衝撃による振動や衝撃音の発生を防ぐことができ、殊に、アームの閉じ位置と開き位置と強制がデッドラインを境とする一本のスプリングの反転付勢作用によって行うようにしたから、構造が簡単で構成部品が少なく安価に製作でき、且つ作動が長期にわたって確実に行うことができて製品寿命が長いといった優れた効果がある。
【発明を実施するための最良の形態】
【０００８】
図１〜図４は本発明にかかる回動扉の開閉装置の一実施例を示すものであって、符号Ａで扉を示す。この扉Ａは、ヒンジ１を支点として回動して枠体Ｂの開口部２を開閉するように形成されている。扉Ａの背面にはピン支持プレート３が延出され、このピン支持プレート３に上方に向かって突出したピン４が設けられている。
【０００９】
符号５は開閉装置のフレームを示し、枠体Ｂの天井壁６の下面にビス等で取り付けられている。フレーム５にはアーム８が垂直な枢軸９を支点として図２のフレーム５に収納された閉じ位置から図３の開き位置まで回動出来るように取り付けられている。更にアーム８は、アーム８側の支持点10とフレーム５側の支持点11との間で張設されたスプリング12によって、閉じ位置と開き位置とに反転付勢されるように形成されている。即ち、スプリング12のアーム側の支持点10が、フレーム側支持点11と枢軸９を結ぶデッドラインＣを境としてスプリング12がアーム８に対し閉じ方向と開き方向に付勢するように形成されている。前記デッドラインＣは閉じ位置に対して40度前後の角度が好ましい。またアーム８がデッドラインＣを超えて扉方向に付勢された場合に、デッドラインＣを少し超えた位置で停止するようにストッパー13が設けられている。更に、アーム８が開き位置で待機している姿勢において前記扉Ａが閉じてきたとき、扉Ａのピン４が摺動可能に係合する先端開口状の長溝７がアーム８の先端部分に設けられている。
【００１０】
また、前記アーム８がデッドラインＣを超えて閉じ位置に向かって回動するときに、スプリング12による急激な回動を緩和するためにダンパー14が設けられている。本実施例にあっては、上記ダンパー14は所謂エアーダンパーが使用されており、図４に示すように、フレーム５に固定されたシリンダー15と、シリンダー15内で摺動可能に収納されたピストン16と、該ピストン16からシリンダー15の前端壁を貫通して外方に突出されたピストンロッド17と、シリンダー15内でピストンロッド17の移動に抵抗力を発生させる流体即ちエアーと、前記抵抗力を減衰させるためにシリンダー15とピストン16との間に形成された微少なエアー通路18と、ピストンロッド17を常時突出姿勢に付勢するバネ19とからなる。前記バネ19の力は、アーム８を閉じ位置方向に回動させるスプリング12の付勢力より小さく設定されている。
【００１１】
アーム５が閉じ位置方向に回動して閉じ位置の終端に近づいてきたときにピストンロッド17の先端がアーム８の端面20に当接するように形成されている。これにより、ピストンロッド17の先端がアーム８の端面に押しつけられ、シリンダー内の流体による抵抗力を除々に減衰させながら、スプリング１２によりアーム８をゆっくりと閉じ位置に回動させる構造となっている。
【００１２】
尚、図１では、閉じ位置にあるアーム８に対して扉Ａが半開きの状態にあるが、この図１は構造を理解するために便宜的に描いたものであって、実際は扉Ａのピン４が閉じ位置のアーム８の長溝７に係合して扉Ａが閉じた状態となる。
【００１３】
今、図２は扉Ａの閉鎖過程を示すものであって、アーム８は開き位置で待機している。この姿勢から更に扉Ａを閉じ方向に手で操作すると、扉Ａのピン４が図３に示すようにアーム８の長溝７に係入し、アーム８と共に閉じ方向に移動する。アーム８がデットラインＣを超えると、スプリング12の付勢力が反転して、アーム８を扉Ａと共に閉じ位置方向に回動する。アーム５が閉じ位置の終端に近づくと、ピストンロッド17の先端がアーム８の端面20に当接して、シリンダー内の流体による抵抗力を除々に減衰させながらピストンロッド17が後退し、アーム８が閉じ位置まで回動する。これにより、スプリング12による扉の急激な閉鎖運動を緩和して、扉Ａを滑らかに閉じることができ、衝撃による振動や衝撃音の発生を防ぐことができる。尚、シリンダー15内のバネ19の力はスプリング12の力より小さく設定されているので、扉Ａの閉じ運動を損なうことはない。
【００１４】
また図４の扉閉鎖位置から扉Ａを開くと、アーム８も扉と共に図３の開き位置まで回動するのでピストンロッド17の先端を押さえる規制がなくなり、バネ19の力によりピストンロッド17が突出姿勢に徐々に復帰する。
【００１５】
尚、図１〜図４で示した実施例では、ピン４を支持するピン支持プレート３が弾性材で形成され、ピン３の先端のアーム８側に向かった部分が傾斜面4aで形成されている。
これにより、扉Ａを開放した状態で誤って手等によりアーム８を閉じ位置に押し込んだときに（図１参照）、扉Ａを閉じ方向に閉めると図６のロに示すようにピン４の傾斜面4aがアーム８の下縁に当接してピン支持プレート３が弾性変形してピン４が下動し、図６のハに示すようにアーム８の長溝７に嵌り込む。従って次回の操作から正常に作動することができる。
【００１６】
また、図７に示すように、傾斜面4aを備えたピン４がバネ21により弾力的に上下できるように形成することも可能である。尚、図６並びに図７で示した実施例において、傾斜面4aをピン４に設けないで図８に示すようにアーム８の下縁に形成するようにしてもよい。  
【００１７】
上記実施例ではダンパー14として、エアーを利用したエアーダンパーを用いたが、図９に示すように、シリンダー15の密室空間内にオイルを充填し、ピストン16によって隔てられた左右のオイル室を連通する連通孔22を設けた構造のオイルダンパーを利用することも可能である。
【００１８】
以上本発明の実施例について説明したが、本発明は必ずしもこれらの実施例構造のみに限定されるものでない。例えば上記実施例では、装置のフレーム５を枠体Ｂに取り付け、ピン４を扉Ａに取り付けたが、フレーム５を扉Ａに取り付け、ピン４を枠体Ｂに取り付けて構成することも可能である。その他本発明ではその構成要件を備え、かつ本発明の目的を達成し、上記の効果を奏する範囲内において適宜改変して実施することができるものである。
【産業上の利用可能性】
【００１９】
本発明に係る回動扉の開閉装置は、建具や家具等の回動扉（スウイングドアー）全般に利用することが可能である。
【図面の簡単な説明】
【００２０】
【図１】本発明に係る回動扉の開閉装置の一実施例を示す説明的な斜視図。
【図２】本記発明における扉の閉じ過程を示す一部断面平面図。
【図３】本記発明における扉の閉じ過程を示す図２同様の一部断面平面図。
【図４】本発明における扉の閉じた姿勢を示す一部断面平面図。
【図５】本発明におけるダンパの一実施例を示す断面図。
【図６】本発明におけるピンの一実施例を示す断面図。
【図７】本発明におけるピンの他の実施例を示す断面図。
【図８】本発明におけるピンの別の実施例を示す断面図。
【図９】本発明におけるダンパの他の例を示す断面図。
【符号の説明】
【００２１】
Ａ  扉
Ｂ  枠体
Ｃ  デッドライン
２  枠体の開口部
４  ピン
５  フレーム
７  長溝
８  アーム
２  センターヒンジ
３  滑走体
４  框
５  レール
１０  アーム側支持点
１１  フレーム側支持点
１２  スプリング
１４  ダンパ
【図１】
2010001680.tif 000003
【図２】
2010001680.tif 000004
【図３】
2010001680.tif 000005
【図４】
2010001680.tif 000006
【図５】
2010001680.tif 000007
【図６】
2010001680.tif 000008
【図７】
2010001680.tif 000009
【図８】
2010001680.tif 000010
【図９】
2010001680.tif 000011